(57)【要約】  【課題】    従来のＸ線撮影装置の、線量計の挿入による光照射野の照度低下と、そのことに起因する操作性の低下およびＸ線照射野のサイズ調整と位置決めの精度低下を改善する。  【解決手段】    モータ２２、線量計ホルダ２３、線量計本体２４で線量計３Ｎを構成し、線量計ホルダ２３をホルダ軸２５を介して回転可能にコリメータ２Ｎの側面に取り付け、線量計ホルダ２３に固着されたモータ２２の回転軸を歯車２６を介してコリメータ２Ｎに固着された歯車２１に結合し、モータ２２の回転によって線量計３Ｎをホルダ軸２５を中心にして回転運動させる。【選択図】          図１
2006325721.tif 000002
【特許請求の範囲】
【請求項１】
Ｘ線管と、Ｘ線照射野のサイズ調整・位置決め用の光照射ランプを内蔵し、前記Ｘ線管に取り付けられるコリメータと、前記コリメータと被検者の中間に挿入される線量計を備えたＸ線撮影装置において、前記線量計をコリメータと被検者の中間位置から待避させる手段を設けたことを特徴とするＸ線撮影装置。
【請求項２】
前記光照射ランプの点灯または点灯準備状態を検知する検知手段と、前記検知手段の検知信号を受けて線量計を前記コリメータと前記被検者の中間位置から待避させる手段を設けたことを特徴とする請求項１記載のＸ線撮影装置。
【請求項３】
前記Ｘ線管の撮影準備状態を検知する検知手段と、前記検知手段の検知信号を受けて線量計を前記コリメータと前記被検者の中間に挿入させる手段を設けたことを特徴とする請求項１記載のＸ線撮影装置。
【発明の詳細な説明】
【技術分野】
【０００１】
本発明はＸ線照射により被検者の生体情報を得るための医用Ｘ線撮影装置に関する。
【背景技術】
【０００２】
図４は従来の医用Ｘ線撮影装置（以下Ｘ線撮影装置と記載、たとえば特許文献１および特許文献２参照）の基本構成の一例である。１はＸ線を発生するためのＸ線管、２はＸ線照射野のサイズ調整を行うための照射野調節機構を内蔵したコリメータである。コリメータ２にはまた、可視光による光照射野の目視によって前記のＸ線照射野のサイズ調整と位置決めを行うために、可視光を発生する光照射ランプ（図示せず）および、コリメータ２の壁面の光照射ランプ点灯スイッチ（図示せず）が内蔵されている。光照射ランプからの可視光放射ビームの形状はＸ線管１からのＸ線放射ビームの形状と類似に形成されているので、光照射野のサイズ調整と位置決めによりＸ線照射野のサイズ調整と位置決めを行うことが可能である。３は照射Ｘ線の強度を監視するための線量計、４は被検者である。線量計３はコリメータ２の下面に固定されており、Ｘ線管１からのＸ線と、光照射ランプからの可視光の両者を透過させる。被検者４は床面９上に設置された撮影台５上に載置されている。６は被検者４を通過したＸ線の分布を画像に変換するたとえばフィルムを内蔵したカセッテ等のＸ線検出器であり、撮影台５中に収納されている。Ｘ線管１、コリメータ２、線量計３はアーム７に固着されている。
【０００３】
１０はＸ線撮影装置の作動を操作するための制御機器および操作パネルを収納した操作・制御装置である。操作・制御装置１０は通常、Ｘ線撮影装置作動時の放射線を遮蔽するため、撮影台５等を設置した部屋（以下、検査室と記載）とは別の部屋（以下、操作室と記載）に設置される。可視光の照射、Ｘ線の撮影など必要な操作の一部は、操作・制御装置１０に接続された補助操作装置８によって、検査室でも行うことができる。
【０００４】
撮影にあたっては、撮影台５上に載置した被検者４に前記光照射ランプからの可視光を照射し、光照射野、したがってＸ線照射野のサイズ調整と位置決めを行い、Ｘ線の照射を行う。なお場合により、被検者４を配置する前に撮影台５上に可視光を投射し、光照射野、したがってＸ線照射野のサイズ調整と位置決めを行う場合がある。
【０００５】
【特許文献１】特開２００４−３４４５４０号公報（第１−５頁）
【特許文献２】特開２００２−２９１７２５号公報（第１−５頁）
【発明の開示】
【発明が解決しようとする課題】
【０００６】
従来のＸ線撮影装置の構造は以上のとおりであるが、この構造ではＸ線照射野のサイズ調整と位置決めの精度が低下する。すなわち線量計３はコリメータ２の下面に固定されており、コリメータ２内の光照射ランプからの可視光の一部を透過させる構造を有しているとは言うものの、線量計３の挿入によって光照射野の照度およびコントラストが低下することは避けられず、この照度およびコントラストの低下は光照射野の目視測定を困難にし、結果としてＸ線照射野のサイズ調整と位置決めの精度を低下させる。光照射野の照度を上げるため光照射ランプへの印加電圧を高くして使用すると、光照射ランプの寿命が極端に低下する。本発明はこのような問題点を解決する手段を提供することを目的とする。
【課題を解決するための手段】
【０００７】
本発明が提供するＸ線撮影装置は上記課題を解決するために、線量計をコリメータと被検者の中間位置から待避させる手段を設ける。
【発明の効果】
【０００８】
本発明によれば、光照射野によるＸ線照射野のサイズ調整と位置決めに際して、線量計の挿入による光照射野の照度の低下が回避され、目視が容易になり操作性および、Ｘ線照射野のサイズ調整と位置決めの精度が向上する。また光照射ランプの印加電圧上昇の必要がないので、光照射ランプの寿命が低下することもない。
【発明を実施するための最良の形態】
【０００９】
本発明が提供するＸ線撮影装置はつぎのような特徴を有している。第１の特徴は、線量計をコリメータと被検者の中間位置から待避させる手段を設けた点である。第２の特徴は、光照射ランプの点灯または点灯準備状態を検知する検知手段と、前記検知手段の検知信号を受けて線量計をコリメータと被検者の中間位置から待避させる手段を設けた点である。第３の特徴は、Ｘ線管の撮影準備状態を検知する検知手段と、前記検知手段の信号を受けて線量計をコリメータと被検者の中間に挿入させる手段を設けた点である。したがって最良の形態の基本的な構成は、線量計がコリメータと被検者の中間位置から待避する手段を具備するＸ線撮影装置である。
【実施例１】
【００１０】
以下図示例にしたがって説明する。図１（Ａ）は本発明の第１の実施例の側面図、図１（Ｂ）は図１（Ａ）において矢視Ｂと記載された方向から見た正面図である。図１において図４と同一符号の部品の構造および作動は図４と同一である。３Ｎはモータ２２、線量計ホルダ２３、線量計本体２４から構成された線量計である。線量計ホルダ２３はホルダ軸２５を介してコリメータ２Ｎの側面にコリメータ２Ｎに対して回転可能に取り付けられている。モータ２２は線量計ホルダ２３に固着され、その回転軸は歯車２６を介して、コリメータ２Ｎに固着された歯車２１に結合している。したがってモータ２２の回転によって線量計３Ｎはホルダ軸２５を中心にした回転運動を行うことが可能である。
【００１１】
Ｘ線撮影にあたっては、図４に示される被検者４を所定の位置に配置した後、モータ２２を回転させて線量計３Ｎを図１（Ａ）の実線位置（以下、挿入位置と記載）から点線位置（以下、待避位置と記載）に待避させ、被検者４に前記光照射ランプからの可視光を照射し、コリメータ２Ｎの調節により照射野のサイズ調整と位置決めを行い、その後線量計３Ｎを挿入位置にもどしてＸ線の照射を行う。
【実施例２】
【００１２】
図２は本発明の第２の実施例を示す図である。図２において図１または図４と同一符号の部品の構造および作動は図１または図４と同一である。線量計３Ｎは通常は図２の実線で示される前記挿入位置に置かれている。モータ２２は待避信号発生回路２７からの待避信号を受けて駆動される。待避信号は、操作・制御装置１０（図２および図４参照）から出力される光照射ランプの点灯準備信号または、コリメータ２Ｎの壁面に備えられた光照射ランプ点灯スイッチ（図示せず）から出力される光照射ランプの点灯信号（以下、両者を合わせて点灯信号等と記載する）を受け、検知回路Ｆを経由して点灯信号等と同期して発生する。すなわち、光照射ランプが点灯準備状態に入るかまたは点灯すると同時に検知回路Ｆから待避信号発生回路２７に向けて検知信号が出力され、前記検知信号を受けて待避信号発生回路２７から待避信号が出力される。この待避信号によって線量計３Ｎがコリメータ２Ｎの下面から図２の点線で示される待避位置に向けて回転を開始し、待避位置で停止する。光照射ランプが消灯すると点灯信号等は元に戻り、待避信号発生回路２７は線量計３Ｎを挿入位置に復帰させた後、モータ２２を停止させる。
【実施例３】
【００１３】
図３は本発明の第３の実施例を示す図である。図３において図１または図４と同一符号の部品の構造および作動は図１または図４と同一である。線量計３Ｎは通常は図３の実線で示される待避位置にある。モータ２２は挿入信号発生回路２８からの挿入信号を受けて駆動される。挿入信号は操作・制御装置１０から出力されるＸ線管１の撮影準備完了信号を受け、撮影準備完了信号と同期して発生する。すなわち、Ｘ線管１の撮影準備が完了すると撮影準備完了信号が検知回路Ｇに出力され、検知回路Ｇから挿入信号発生回路２８に検知信号が出力され、前記検知信号によって挿入信号発生回路２８から挿入信号が発生するので、撮影準備完了によって線量計３Ｎがコリメータ２Ｎの待避位置から下面の挿入位置に移動開始し、挿入位置にて停止する。線量計３Ｎの停止の後、線量計３Ｎから挿入信号発生回路２８に線量計挿入完了信号が送られ、それを受けて挿入信号発生回路２８から挿入完了信号が発生する。この挿入完了信号の発生を確認した後、Ｘ線照射が行われる。Ｘ線照射終了により操作・制御装置１０からの撮影準備完了信号は元に戻り、挿入信号発生回路２８は線量計３Ｎを待避位置に復帰させた後、モータ２２を停止させる。
【００１４】
本発明は上記の実施例に限定されるものではなく、さらに種々の変形実施例を挙げることができる。たとえば実施例１では線量計３Ｎをモータ２２で駆動しているが、モータ駆動は本実施例の要件ではなく、たとえば手動で駆動しても良い。実施例２、３においても、駆動方式は線量計３Ｎに固着したモータ２２による方式以外にも、アーム７側に駆動源を置き、ワイヤまたは小型チェーンなどを介在して間接的駆動をする方式なども可能であり、駆動源をモータ以外の方式に変更することもできるので、本発明は駆動方式にはよらない。また本発明が図４に示した構造のアーム７を有しないＸ線撮影装置および非可視電磁波を利用した装置において、照射野のサイズ調整と位置決めを可視光を利用して行うことが必要な場合に適用できることは明らかである。本発明はこれらをすべて包含する。
【産業上の利用可能性】
【００１５】
本発明はＸ線照射により被検者の生体情報を得るための医用Ｘ線撮影装置および、非可視電磁波を利用する分析・診断・製造装置において非可視電磁波の照射野のサイズ調整と位置決めを可視光を利用して行うことが必要な用途に適用することができる。
【図面の簡単な説明】
【００１６】
【図１】本発明の実施例１を示す図である。
【図２】本発明の実施例２を示す図である。
【図３】本発明の実施例３を示す図である。
【図４】従来のＸ線撮影装置の構成図である。
【符号の説明】
【００１７】
１  Ｘ線管
２  コリメータ
２Ｎ  コリメータ
３  線量計
３Ｎ  線量計
４  被検者
５  撮影台
６  Ｘ線検出器
７  アーム
８  補助操作装置
９  床面
１０  操作・制御装置
２１  歯車
２２  モータ
２３  線量計ホルダ
２４  線量計本体
２５  ホルダ軸
２６  歯車
２７  待避信号発生回路
２８  挿入信号発生回路
Ｆ  検知回路
Ｇ  検知回路
【図１】
2006325721.tif 000003
【図２】
2006325721.tif 000004
【図３】
2006325721.tif 000005
【図４】
2006325721.tif 000006